(57)【要約】      （修正有）【課題】ひげ剃りカートリッジのような品目を格納するための容器を提供する。【解決手段】密封包装１０は、成形された合成樹脂容器１２と、容器内の収納領域内にあるひげ剃りカートリッジ１６、および収納領域１８に対する入口２２を覆うと共にその周りの密封表面２０に封着される取り外し可能なフィルムとを備える。容器は収納領域への入口において容器の側壁に隣接してそこから延びてカートリッジを取り出す間にユーザの親指ないし他の指を入口から離間させるためのリップ２８を有する。取り外し可能なフィルムは、それが容器の後部に依然として部分的に接続されているときにカートリッジの取り出しを容易にする折返し状態保持特性を有する。合成樹脂タブ２４は密封表面からのフィルムの剥離を始めるために容器の密封表面を越えて延びているフィルムの一部に取り付けられる。【選択図】図１
2012071149.tif 000002
【特許請求の範囲】
【請求項１】
収納領域を画成すると共に前記領域への入口周囲に密封表面を有する合成樹脂容器であって、底部壁と、内側に突出する保持構造をそれぞれ有した少なくとも２つの対向側壁とを有する容器と、
前記収納領域内に含まれると共に前記保持構造によって保持されるひげ剃りカートリッジであって、合成樹脂ハウジングおよび複数の刃を含むカートリッジと、
前記密封表面に封着されて前記入口を覆う取り外し可能なフィルムと
を備えることを特徴とする密封包装。
【請求項２】
底部壁およびこの底部壁から上方に延びる側壁によって画成される収納領域を画成している成形された合成樹脂容器であって、前記収納領域への入口を有する容器と、
前記収納領域内でハンドルと接続されるべき位置にあるひげ剃りカートリッジであって、合成樹脂ハウジングおよび複数の刃を有するカートリッジと、
前記領域からの前記カートリッジの取り出しの間に前記入口からユーザの親指ないし他の指を離間させるために、前記入口において、前記側壁の１つに隣接してそれから延びる合成樹脂リップと
を備えることを特徴とする包装。
【請求項３】
収納領域を画成すると共に前記領域への入口周囲に密封表面を有する合成樹脂容器と、
前記収納領域内でハンドルと接続されるべき位置にある、合成樹脂ハウジングおよび複数の刃を有したひげ剃りカートリッジと、
前記密封表面に封着されて前記入口を覆い、折返し状態保持特性を有する取り外し可能なフィルムと
を備えることを特徴とする密封包装。
【請求項４】
収納領域を画成すると共に前記領域への入口周囲に密封表面を有する合成樹脂容器と、
前記収納領域内に格納された、ユニット全体として取り外し可能なユニットと、
前記密封表面に封着されて前記入口を覆う取り外し可能なフィルムと、
前記成形された合成樹脂容器から切れ目によって離間すると共に、前記密封表面を越えて延びる前記フィルムの一部に取り付けられた、前記フィルムの前記密封表面からの剥離を開始するための合成樹脂タブと、を備え、
前記タブは、その一部に沿うととも前記第１の対向端面に対向する第２の対向端面を有しており、
前記切れ目は各対向端面によって画成され、各対向端面に沿って延びると共に、前記容器の主面から前記フィルムと平行な表面に構成された軸線と平行な方向に延びている、ことを特徴とする密封包装。
【請求項５】
底部壁と側面を有する側壁とによって画成された収納領域を画成し、かつ前記収納領域への入口を有している成形された合成樹脂容器と、
前記収納領域内に格納された、ユニット全体として取り外し可能なユニットと、
前記容器の内側に形成されて前記側面から内側に延びると共に、前記容器内の所望の位置に前記ユニットを保持する保持構造と、
前記密封表面に封着されて前記入口を覆う取り外し可能なフィルムと
を備えることを特徴とする密封包装。
【請求項６】
前記フィルムは、ラミネートとして構成されると共に少なくとも一つの構造的な層を有するプラスチックフィルムを含んで成ることを特徴とする請求項１、３、４または５に記載した包装。
【請求項７】
前記格納されるユニットはひげ剃りカートリッジであることを特徴とする請求項４に記載の包装。
【請求項８】
前記カートリッジの刃は前記入口から離れる方を向いていることを特徴とする請求項１または２に記載の包装。
【請求項９】
前記密封表面を越えて延びる前記フィルムの一部に取り付けられた、前記フィルムの前記密封表面からの剥離を開始するための合成樹脂タブをさらに備えることを特徴とする請求項１、３または５に記載の包装。
【請求項１０】
前記容器は、前記カートリッジを前記領域内に案内する傾斜構造を有することを特徴とする請求項１に記載の包装。
【請求項１１】
前記容器は、前記リップを前記側壁に接続すると共に前記カートリッジを前記領域内に案内する傾斜構造を有することを特徴とする請求項２に記載の包装。
【請求項１２】
前記容器の内側上に成形されて当該容器内の所望の位置に前記ひげ剃りカートリッジを保持する保持構造をさらに備えることを特徴とする請求項２に記載の包装。
【請求項１３】
前記容器は、前記カートリッジを所望の向きで支持する支持部材を前記底壁上に有しており、
かつ前記保持構造は、前記支持体部材より高い位置において前記容器の前記側壁上に配置されている、
ことを特徴とする請求項１に記載の包装
【請求項１４】
前記底部壁は平らであり、かつ前記カートリッジを所望の向きで支持する複数の支持部材が前記底壁上にある、ことを特徴とする請求項１３に記載の包装。
【請求項１５】
前記カートリッジは非線形の上側表面輪郭を有しており、かつ前記支持体部材の上側表面は前記非線形の上側表面輪郭に調和することを特徴とする請求項１４に記載の包装。
【請求項１６】
前記カートリッジは湾曲した凸状の上側表面輪郭を有しており、かつ前記支持体部材の上側表面は前記湾曲した上側表面輪郭に調和するように湾曲した凹状であることを特徴とする請求項１４に記載の包装。
【請求項１７】
前記保持構造は、前記側壁に対して傾斜しつつ前記入口を向く表面を有することを特徴とする請求項１または５に記載の包装。
【請求項１８】
前記保持構造は、前記側壁に対して傾斜しつつ前記底壁を向く表面を有することを特徴とする請求項１または５に記載の包装。
【請求項１９】
前記側壁は対向側壁を有し、
前記底部壁は平らであり、
前記容器は、前記リップを前記側壁に接続すると共に前記カートリッジを前記領域内に案内する傾斜構造を有し、
かつ前記カートリッジを所望の向きで支持するための前記底壁上にある複数の支持部材と、
前記互いに対向側壁から突出して前記ひげ剃りカートリッジを前記容器内の所望の位置に保持する保持構造と
をさらに備えることを特徴とする請求項２に記載の包装。
【請求項２０】
前記カートリッジは湾曲した凸状の上側表面輪郭を有しており、かつ前記支持体部材の上側表面は前記湾曲した上側表面輪郭に調和するように湾曲した凹状である、ことを特徴とする請求項１９に記載の包装。
【請求項２１】
前記容器は透明であることを特徴とする請求項１、２または３に記載の包装。
【請求項２２】
前記容器は、１又は２以上の外側表面上に突出する、指で掴むための複数の隆起を有していることを特徴とする請求項１または２に記載の包装。
【請求項２３】
前記容器は１又は２以上の外側表面上に突出する、指で掴むための複数の隆起を有しており、
かつ前記隆起はユーザの指を収容するためにくぼんだ輪郭を有している、
ことを特徴とする請求項１または２に記載の包装
【請求項２４】
前記タブは、表面から延びる掴み用の隆起を有していることを特徴とする請求項４または７に記載の包装。
【請求項２５】
前記密封表面を越えて延びる前記フィルムの一部に取り付けられた、前記フィルムの前記密封表面からの剥離を開始するための合成樹脂タブをさらに備え、
前記タブは、その外側部分の周りで表面から延びる掴み用隆起を有している、
ことを特徴とする請求項１、３または５に記載の包装。
【請求項２６】
前記容器は、前記入口に隣接すると共に当該入口から延びると共にその端部に切抜き部分を有したリップを有し、
かつ前記タブは前記切抜き部分に配置されている、
ことを特徴とする請求項７に記載の包装。
【請求項２７】
前記タブは半月形であることを特徴とする請求項７に記載の包装。
【請求項２８】
前記合成樹脂容器はポリオレフィン製であることを特徴とする請求項１、２または３に記載の包装。
【請求項２９】
前記フィルムは、前記成形された合成樹脂容器の前記壁より柔軟であることを特徴とする請求項１、３、４または５に記載の包装。
【請求項３０】
前記フィルムは、１.５ニュートンを超える初期剥離力で前記容器に付着されることを特徴とする請求項１、３、４または５に記載した包装。
【請求項３１】
前記フィルムは、３ニュートンを超え５ニュートンまでの初期剥離力で前記容器に付着されることを特徴とする請求項１、３、４または５に記載した包装。
【請求項３２】
前記フィルムは、折返し状態保持特性を有することを特徴とする請求項１、３、４または５に記載の包装。
【請求項３３】
前記フィルムは、印刷を保持する内側表面を有することを特徴とする請求項１または３に記載の包装。
【請求項３４】
前記フィルムは、前記密封表面にヒートシールないしは高周波溶着されることを特徴とする請求項１または３に記載の包装。
【請求項３５】
収納領域と、前記領域への入口周囲の密封表面とを画成している成形された合成樹脂容器と、
前記密封表面に隣接する合成樹脂タブと、
前記タブを前記合成樹脂容器に接続する第１の仮設コネクタと
を備えたことを特徴とする包装部品。
【請求項３６】
前記タブ縁部は、前記容器縁部と整列たタブ縁部を有し、
前記第１の仮設コネクタは、前記タブ縁部から横断方向に延びる第１の部分と、全体として前記容器縁部および前記タブ縁部に対して平行に前記第１の部分から延びる第２の部分と、前記容器縁部から前記第２の部分に対して横断方向に延びる第３の部分とを有し、
それによって前記第１の仮設コネクタは、前記容器縁部および前記タブ縁部に対して平行な一回の切断によって切り取られることが可能である、
ことを特徴とする請求項３５に記載の包装。
【請求項３７】
前記仮設コネクタは、前記成形された合成樹脂容器および前記タブと同時成型されることを特徴とする請求項３５または３６に記載の包装部品。
【請求項３８】
前記容器は、底部壁と、この底部壁から上方に延びて前記収納領域を画成する側壁とを有し、
前記入口において第１の前記側壁に隣接して、この側壁から延びると共に、その端部に切抜き部分を有したリップをさらに備え、
前記タブは前記切抜き部分に配置されている、ことを特徴とする請求項３５に記載の包装部品。
【請求項３９】
前記タブは、
前記リップ縁部と整列した第１のタブ縁部と、
前記第１のタブ縁部に対して横断方向に延びると共に、前記第１の側壁に隣接しかつこれを横切る向きの第２の前記側壁において容器縁部と整列する第２のタブ縁部と
を有することを特徴とする請求項３８に記載の包装。
【請求項４０】
前記タブを前記合成樹脂容器に接続する第２の仮設コネクタをさらに備えることを特徴とする請求項３９に記載の包装。
【請求項４１】
前記第１の仮設コネクタは、前記タブ縁部から横断方向に延びる第１の部分と、全体として前記リップ縁部および前記第１のタブ縁部に対して平行に前記第１の部分から延びる第２の部分と、前記リップ縁部から前記第２の部分に対して横断方向に延びる第３の部分とを有し、
それによって前記第１の仮設コネクタは、前記容器縁部および前記タブ縁部に対して平行な一回の切断によって切り取られることが可能である、
前記第２の仮設コネクタは、前記第２のタブ縁部から横断方向に延びる第１の部分と、全体として前記容器縁部および前記タブ縁部に対して平行に前記第１の部分から延びる第２の部分と、前記容器縁部から前記第２の部分に対して横断方向に延びる第３の部分とを有し、
それによって前記第１および第２の仮設コネクタはそれぞれ、前記容器縁部および前記リップ縁部に対して平行な一回の切断によって切り取られることが可能である、
ことを特徴とする請求項４０に記載の包装。
【請求項４２】
前記第１および第２の仮設コネクタは、前記成形された合成樹脂容器および前記タブと同時成型されることを特徴とする請求項４１に記載の包装部品。
【請求項４３】
前記仮設コネクタは、折れやすい合成樹脂材料でできていることを特徴とする請求項３５に記載の包装部品。
【請求項４４】
前記タブと前記容器との間に境界面があり、前記折れやすい合成樹脂のブリッジ部分が前記境界面に沿って分離した位置に配置されている、ことを特徴とする請求項４３に記載の包装部品。
【請求項４５】
前記タブと前記容器との間に境界面があり、前記折れやすいブリッジ部分は、少なくとも前記境界面の大部分に沿って延びることを特徴とする請求項４３に記載の包装部品。
【請求項４６】
前記仮設コネクタおよびタブは前記容器とは異なる材料であり、かつ前記容器、タブおよび仮設コネクタは２成分成型によってもたらされることを特徴とする請求項３５に記載の包装部品。
【請求項４７】
前記密封表面に封着されて前記入口を覆う取り外し可能なフィルムをさらに備え、
前記フィルムは前記タブにも付着されることを特徴とする請求項３５に記載の包装部品。
【請求項４８】
前記フィルムは、当該フィルムを前記密封表面に封着する操作の間に、前記タブに対する同様の封着によって当該タブに固定されることを特徴とする請求項４７に記載の包装部品。
【請求項４９】
前記容器は、１又は２以上の外側表面上に、指で掴むための突出した複数の隆起を有していることを特徴とする請求項３５に記載の包装部品。
【請求項５０】
前記容器は、１又は２以上の外側表面上に、指で掴むための突出した複数の隆起を有しており、かつ前記隆起はユーザの指を収容するためにくぼんだ輪郭を有していることを特徴とする請求項３５に記載の包装部品。
【請求項５１】
前記タブは、表面から延びる掴み用の隆起を有していることを特徴とする請求項３５に記載の包装部品。
【請求項５２】
前記容器は、ひげ剃りカートリッジを収納するように寸法決めされると共に、前記リップを前記側壁に接続すると共に前記領域内に前記カートリッジを案内する傾斜構造を有する、ことを特徴とする請求項３８に記載の包装部品。
【請求項５３】
収納領域および前記領域への入口周囲の密封表面を画成すると共に、前記収納領域が、内側に突出する保持構造をそれぞれ有した少なくとも２つの対向側壁によって画成されるような合成樹脂容器を準備する段階と、
合成樹脂ハウジングと複数の刃とを含んだひげ剃りカートリッジを前記収納領域内に配置する段階と、
前記保持構造を接触させることによって、前記カートリッジを前記収納領域内に保持する段階と、
取り外し可能なフィルムを、前記入口を覆うように前記密封表面に封着する段階と
を備えることを特徴とする密封包装の製造方法。
【請求項５４】
前記準備する段階は、前記容器の底部壁上に支持部材を設けることを含み、
かつ前記配置する段階は、前記カートリッジを前記支持部材上に配置することと、所望の向きで前記カートリッジを支持することとを含む、
ことを特徴とする請求項５３に記載の方法。
【請求項５５】
前記保持構造は、前記側壁に対し傾斜しつつ前記入口を向く表面を有することを特徴とする請求項５４に記載の方法。
【請求項５６】
前記保持構造は、前記側壁に対して傾斜しつつ前記入口から離れる方向を向く表面を有することを特徴とする請求項５４に記載の方法。
【請求項５７】
前記密封表面を越えて延びている前記フィルムの一部に、前記密封表面からの前記フィルムの剥離を始めるための合成樹脂タブを取り付ける段階をさらに備えることを特徴とする請求項５３に記載の方法。
【請求項５８】
前記準備する段階は、仮設コネクタによって前記容器に接続される合成樹脂タブを前記密封表面に隣接して設けることを含み、
前記封着する段階は、前記密封表面を越えて延びている前記フィルムの一部に前記タブを密封可能に取り付けることを更に含み、
かつ前記封着する段階の後に前記仮設コネクタを分離する段階を更に備えることを特徴とする請求項５３に記載の方法。
【請求項５９】
前記仮設コネクタは合成樹脂製であり、
かつ前記準備する段階は、前記合成樹脂タブおよび仮設コネクタを前記合成樹脂容器の成形と同時に成形することを含む、
ことを特徴とする請求項５３に記載の方法。
【請求項６０】
前記仮設コネクタは折れやすいブリッジ部分であり、
かつ前記分離する段階は前記折れやすいブリッジ部分を折ることを含む、
ことを特徴とする請求項５９に記載の方法。
【請求項６１】
前記タブは、容器縁部に整列するタブ縁部を有し
前記第１の仮設コネクタは、前記タブ縁部から横断方向に延びる第１の部分と、全体として前記容器縁部および前記タブ縁部に対して平行に前記第１の部分から延びる第２の部分と、前記容器縁部から前記第２の部分に対して横断方向に延びる第３の部分とを有し、
かつ前記分離する段階は、前記容器縁部に平行な一回の切断によって前記仮設コネクタを前記容器から切り取ることを含む、
ことを特徴とする請求項５９に記載の方法。
【請求項６２】
収納領域および前記領域への入口周囲の密封表面を画成する合成樹脂容器を準備する段階と、
ユニット全体として取り外し可能なユニットを、前記収納領域内に配置する段階と、
取り外し可能なフィルムを、前記入口を覆うように前記密封表面に封着する段階と、
前記密封表面からの前記フィルムの剥離を開始するために、前記密封表面を越えて延びている前記フィルムの一部に合成樹脂タブを取り付ける段階と
を備えることを特徴とする密封包装の製造方法。
【請求項６３】
前記準備する段階は、仮設コネクタによって前記容器に接続される合成樹脂タブを前記密封表面に隣接して設けることを含み、
前記取り付ける段階は、前記フィルムが前記密封表面に封着される操作と同時に前記密封表面を越えて延びる前記フィルムの一部に対して前記タブを封着することを含む、
ことを特徴とする請求項６２に記載の方法。
【請求項６４】
前記仮設コネクタは合成樹脂製であり、
かつ前記準備する段階は、前記合成樹脂容器の成形と同じ操作において前記合成樹脂タブおよび仮設コネクタを成形することを含む、
ことを特徴とする請求項６３に記載の方法。
【請求項６５】
前記仮設コネクタは折れやすいブリッジ部分であり、
かつ前記分離する段階は前記折れやすいブリッジ部分を折ることを含む、
ことを特徴とする請求項６４に記載の方法。
【請求項６６】
前記タブと前記容器との間に境界面があり、
かつ前記折れやすいブリッジ部分は前記境界面に沿って分離した位置にある、
ことを特徴とする請求項６５に記載の方法。
【請求項６７】
前記タブと前記容器との間に境界面があり、
かつ前記折れやすいブリッジ部分は少なくとも前記境界面の大部分に沿って延びる、ことを特徴とする請求項６５に記載の方法。
【請求項６８】
前記タブは、容器縁部と整列するタブ縁部を有しており、
かつ前記第１の仮設コネクタは、前記タブ縁部から横断方向に延びる第１の部分と、全体として前記容器縁部と平行に前記第１の部分および前記タブ縁部から延びる第２の部分と、前記容器縁部から前記第２の部分に対して横断方向に延びる第３の部分とを有しており、
かつ前記分離する段階は、前記容器縁部に対して平行な一回の切断によって前記仮設コネクタを前記容器および前記タブから切り取ることを含む、ことを特徴とする請求項６４に記載の方法。
【請求項６９】
収納領域内にひげ剃りカートリッジを収納する成形された合成樹脂容器と、前記容器における前記収納領域への入口周囲の密封表面に封着される取り外し可能なフィルムとを含み、前記カートリッジが合成樹脂ハウジングおよび複数の刃を有するような密封包装を準備する段階と、
前記ひげ剃りカートリッジへのアクセスをもたらすために前記密封表面から前記フィルムを剥がす段階と、
前記カートリッジをハンドルに取り付ける段階と
を備えることを特徴とする、ひげ剃りカートリッジをひげ剃り上に設ける方法。
【請求項７０】
前記剥がす段階は、１.５ニュートンを超える初期剥離力による剥離を伴うことを特徴とする請求項６９に記載の方法。
【請求項７１】
前記剥がす段階は、３〜５ニュートンの初期剥離力による剥離を伴うことを特徴とする請求項６９に記載の方法。
【請求項７２】
前記取り付け段階の後に、前記容器から前記カートリッジを取り出す段階をさらに備えることを特徴とする請求項６４に記載の方法。
【請求項７３】
前記剥がす段階は、前記密封表面を越えて延びる前記フィルムの一部に接続された合成樹脂タブを上方に引くことを含むことを特徴とする請求項６９に記載の方法。
【請求項７４】
前記剥がす段階と同時に、前記容器の１又は２以上の外側表面上にある複数の指掴み構造により前記容器を掴む段階をさらに備えることを特徴とする請求項６９に記載の方法。
【請求項７５】
前記取り付ける段階の前に、前記ハンドルのハンドル接続構造を、前記容器から延びる前記リップ上で前記カートリッジのカートリッジ接続構造内に案内する段階をさらに備えることを特徴とする請求項７２に記載の方法。
【請求項７６】
前記案内する段階は、前記リップを容器側壁に接続する傾斜構造上で、前記ハンドルを案内することをさらに含むことを特徴とする請求項７５に記載の方法。
【請求項７７】
前記取り出す段階の前に、前記容器の内側上で前記カートリッジを所望の位置に保持する保持構造から、前記カートリッジを解放する段階をさらに備えることを特徴とする請求項７２に記載の方法。
【請求項７８】
前記剥がす段階は、剥離する力が取り除かれると、前記フィルムが前記密封表面に取り付けられかつ前記取り付けを妨げないように折り返されたままであることを含むことを特徴とする請求項６９に記載の方法。
【発明の詳細な説明】
【発明の詳細な説明】
【０００１】
本発明はひげ剃りカートリッジのような品目を格納するための容器に関する。
【０００２】
ひげ剃りカートリッジは一般的に、容器内の各部分に配置された複数のひげ剃りカートリッジを含む合成樹脂製ディスペンサに入れられて販売される。
【０００３】
スナックおよび調味料を包装する技術においては、外周縁部を有する全般的に開いた箱形の矩形状に成形されるとともにその縁部に封着される合成樹脂箔によって蓋がされる合成樹脂容器と、隣接する縁部との間に殆どスペースを取らないようにみぞ削りナイフによって縁部の１つの角部を斜めに剪断して密封箔に取り付いたままとなるように成形された三角形状のプルタブとを持たせることは周知である。例えば、そのような容器は「フィリアスフォッグ（Phileas Fogg）」という登録商品名の下に合衆国内で入手可能な容器スナックに用いられている。
【０００４】
そのような従来技術の容器は添付の図１および図２に描かれている。本願の出願人が理解するところでは、食品適合性を有する熱可塑性樹脂から製造された合成樹脂容器１００は、その４側面の周りに成形された縁部１０２（これらの縁部は、互いに対向する側面においては全般的に同じ幅であるが、隣接する側面においてはわずかに異なっている）と、縁部周りに封着された合成樹脂カバーフィルム１０４とを備えている。このフィルムは、その下面が金属色（真空蒸着によるものと考えられれる）であるとともにその上面に製品情報が印刷され、かつプルタブ１０６はフィルムが剥がされたときにこのフィルムに固着したまま残る。本願の出願人は、合成樹脂容器から合成樹脂フィルムを剥がすときにその全体を取り除かないで放置すると、このフィルムが図２に示される位置から降下して開口を妨げ、（以下に論じるように）開口をアクセス可能なままとする「折返し状態保持（deadfold）」の機能に完全に欠けていることを見出した。しかしながら、古くなることから製品を保護するために合成樹脂食品包装フィルムが湿気およびガスについてバリヤ性を有することは知られている。
【０００５】
このように認められる従来技術はまた、パティサイズのバター用の合成樹脂容器、またはナッツベリーファーム食品社（Knotts Berry Farm Foods, Inc.）（プラセンシア, カリフォルニア州）の名前で米国内において入手可能な調味料若しくは保存食品用の類似の容器を覆うために用いられる折り曲げ可能な金属箔を有しているが、これらの容器もまたその縁部にスリットを入れることによって設けられたコーナプルタブを有している。このラミネート（積層）カバー箔は、その外側が（図柄が印刷された）合成樹脂でコーティングされるとともにヒートシール接着剤の下側層を有した薄い金属箔であると理解される。この合成樹脂コーティングは、単に水分およびガスに対するバリヤ性を与えるだけである。これらの容器の箔は後方に引き剥がすことはできるが、永久変形を可能とするために金属から作らなければならない。
【０００６】
このように認められる従来技術は、例えばヨープレイト（Yoplait）の名前の下に米国内で利用可能であると考えられるとともにそれぞれがヨーグルトを供給する６個包装に用いられているような、ホットメルト接着剤のような下側シール材層を有してポリエステルでコートされた紙の層を更に有している。このポリエステルは１つの片としての取り外しを補助する。紙は、後方に折り返されたままとするための最小限の能力を有するが、吸収性材料であるので水分に対するバリヤ性（防湿性）に欠けている。
【０００７】
１つの観点において、本発明は概して、成形された合成樹脂容器と、この容器内の収納領域内に含まれるひげ剃りカートリッジ（若しくは他の格納されるユニット）と、前記貯蔵領域への入口周囲の密封表面に封着されて前記入口を覆う取り外し可能なフィルムとを含む密封包装を特徴付ける。この容器の側壁は、内側に突出して前記ひげ剃りカートリッジ（若しくは他の格納されるユニット）を保持する保持構造を有する。
【０００８】
もう１つの観点において、本発明は概して、取り外し可能なフィルムによって密封される成形された合成樹脂容器内にひげ剃りカートリッジを収納する密封包装を特徴付ける。この容器は、前記カートリッジの取り出しの間に収納領域への入口からユーザの親指ないし他の指を離間させるために、前記入口において、当該容器の側壁に隣接してそれから延びるリップを有している。
【０００９】
もう１つの観点において、本発明は概して、取り外し可能なフィルムによって密封される成形された合成樹脂容器内にひげ剃りカートリッジを収納する密封包装を特徴付ける。そのフィルムは、それが容器後部に部分的に連結されたままの状態においてカートリッジの取り出しを容易にするような折返し状態保持特性を有する。
【００１０】
もう１つの観点において、本発明は概して、取り外し可能なフィルムによって密封される成形された合成樹脂容器内に格納されるユニットを収納する密封包装を特徴付ける。前記フィルムの密封表面からの剥離を開始するために、前記密封表面を越えて延びる前記フィルムの一部に、合成樹脂タブが取り付けられている。この合成樹脂タブは、前記成形された合成樹脂容器から切れ目によって離間されている。
【００１１】
本発明の特定の実施例は、下記の特徴の１又は２以上を含むことができる。カートリッジの刃は収納領域への入口から離れる方向を向く。容器は所望の向きでカートリッジを支持する支持部材を底壁上に有し、この支持部材はカートリッジの上側表面の輪郭に合った曲面を有する。容器の側壁上のカートリッジ保持構造は、容器の入口および底壁を向いて傾斜する表面を有する。容器は透明である。容器は１又は２以上の外側表面上に突出する複数の指掴み隆起を有し、これらの隆起はそのいくつかの表面上にユーザの指に合わせてくぼんだ輪郭を有する。取り外し可能なフィルムに接続された合成樹脂タブは、その表面から延びる掴み用隆起を有する。合成樹脂タブは、容器のリップの切欠部分に配置される。タブは半月状の形状を有する。取り外し可能なフィルムは、成形された合成樹脂容器の壁より柔軟である。フィルムは、１.５ニュートン（好ましくは３〜５ニュートン）より大きい取り外し力で容器に封着される。フィルムは、フィルム層の間の内側表面上に印刷を載せる。フィルムは、容器の密封表面にヒートシールないしは高周波（ＲＦ）溶着される。
【００１２】
別の態様において、本発明は概して、収納領域とこの領域への入口周囲の密封表面とを画成する合成樹脂容器と、密封表面と隣接する合成樹脂タブと、このタブを合成樹脂容器に接続する仮設コネクタとを含む包装部品を特徴とする。
【００１３】
包装部品の特定の実施例は以下の特徴の１又は２以上を有する。仮設コネクタは、タブ縁部から横断方向に延びる第１の部分と、全体として前記容器縁部と平行に前記第１の部分および前記タブ縁部から延びる第２の部分と、前記容器縁部から前記第２の部分に対して横断方向に延びる第３の部分とを有し、結果としてリング状のコネクタを生じさせる。仮設コネクタは、成形された合成樹脂容器およびタブと同時成型される。これに対して、仮設コネクタは、合成樹脂の折れやすいブリッジ部分であることができる。
【００１４】
他の態様において、本発明は概して、記載された密封包装を製造する方法および記載された密封包装を使用する方法を特徴付ける。
【００１５】
本発明の実施例は、以下の利点の１又は２以上を含むことができる。この密封包装は、使用の前にシャワーないしは風呂の浴槽領域内に保管されたときに、水分、石鹸や泡ないしジェルのようなひげ剃り前処理製品、および洗剤からカートリッジを保護する。環状のブリッジ部材は、包装の外側に沿った一回の切断によって容易に切り離すことができる。傾斜した表面は、収納領域内に装填されるときにカートリッジを所望の位置に案内する。支持部材および保持構造は、ハンドルへの取り付けのための所望の位置にカートリッジを保持する。合成樹脂タブは、剥離を始めるための良好な掴み部材を提供する。折返し状態保持特性は、部分的に取り外された箔がハンドルへのカートリッジの接続を妨げることを防止する。傾斜構造は、容器内に収納されたカートリッジの接続部分にハンドルを案内する。リップは、容器からのカートリッジの取り出しの間に、ユーザの親指ないし他の指を刃の切刃から保護する。
【００１６】
本発明のその他の利点および特徴は、下記の本発明の実施例の詳細な説明および請求項から明らかとなる。
【００１７】
図１を参照すると、成形された合成樹脂容器１２、カバーシート１４、および容器１２の収納領域１８内に収納されたひげ剃りカートリッジ１６を含む密封包装１０が示されている。図２は、カバーシート１４を取り付ける前の容器１２を示している。容器１２は収納領域１８への入口２２を囲む密封表面２０を有しており、かつカバーシート１４はこの密封表面２０に封着される。（図１にその１つだけが示されている）合成樹脂タブ２４は、カバーシート１４の２つの角部の下面に取り付けられている。合成樹脂タブ２４は、シート１４の剥離を開始するために用いられる。剥離の前に、合成樹脂タブ２４は、容器１２の片側に沿って延びるリップ２８の末端に配置された切欠部分２６（図１）に配置されている。図２から分かるように、曲線状の切れ目２９がタブ２４とリップ２８との間にある。
【００１８】
図１から図７を参照すると、容器１２は、２つの端面（図１、図２および図７）上の指掴み用隆起３０と、前側表面３５（図１、図２、図５および図７）上の垂直掴み部３４を与える浮き彫り部３２と、後側表面４０（図６および７）上の掴み用隆起３８を与える浮き彫り３６を有している。おそらくは図７の底面図から最も良く判るように、ユーザの指をよりよく収めるために掴み用隆起の最も外側の表面が全体的にくぼんだ輪郭を有するように、末端側の掴み用隆起３０は中央の掴み用隆起３０よりもさらに遠くまで外方へ延びている。
【００１９】
図２および図４は、ひげ剃りカートリッジ１６を装填してその上にシート１４を封着する前の合成樹脂容器１２を示している。製造時のこの段階においては、合成樹脂タブ２４は容器１２の一部であり、（図４および図８に最も良く示されている）内側のブリッジ部材４６によって容器に接続されている。ブリッジ部材４６は、薄くて折れやすい部材であるが、密封前の取り扱い中にタブ２４を所定位置に保持するには十分に強く、ユーザがカバー１４の剥離を始めるためにタブ２４を持ち上げるときには容易に折れる程度に充分に弱い。（これに代わるブリッジ部材を提供するために、リップを機械的に除去するか、少なくとも部分的に切断することができる。）タブ２４は、ユーザの指による掴みを容易にするために外側端部の周辺隆起２５を有している（図５、図６および図７参照）。
【００２０】
図１〜図４を参照すると、リップ２８が容器の側壁４８に、カートリッジ１６のカートリッジ接続構造５２（図１）に導くための傾斜構造５０によって接続されていることがわかる。適当なカートリッジ１６は、１９９８年４月２４日に出願された米国特許出願第０９／０６６，４９９号に記載されているが、その内容はこの引用によって本願明細書に組み込まれる。米国意匠特許Ｄ４０７，８５１号は、カートリッジ１６と嵌合するハンドルを記載している。ひげ剃りハンドル（図１３）のカートリッジ１６への接続の間、ハンドルの接続端がリップ２８上に持って来られると、傾斜部分５０はハンドルの端部を接続構造５２（図１）に案内しようとする。カートリッジ１６に接続されるとハンドルは引き出されれ、カートリッジ１６が容器１２から取り出される。リップ２８は、容器１２から引き出す間にユーザの親指および他の指をカートリッジ１６の刃によって切れることから保護する。
【００２１】
図３および図４を参照すると、容器１２が、湾曲して凹状の上側表面５３を有した２つの支持部材５１を備えていることがわかる。これの部材５１は、所望の位置にカートリッジ１６を支持するためにカートリッジ１６の刃ユニット上面の輪郭に整合している。支持部材５１は、カートリッジ１６の刃の外側で、カートリッジ１６の端部を支持している。容器１２内に収納されると刃の切刃は下側を向く。係合突起（戻り止め）５４、５６が各側壁４８，５８から内側に突出している。両係合突起５４，５６は、入口２２を向いた上側傾斜面６０および底部壁６４を向いた下側傾斜面６２を有している。カートリッジが容器１２に装着されるときには、上側斜面６０上を移動して係合突起５４、５６を（スナップ動作で）ぱちんと通り過ぎる際に、カートリッジは容器の壁をわずかに変形させる。容器１２からの取り出しの間、カートリッジが斜面６２を通過するときにも、カートリッジは容器の壁をわずかに変形させる。係合突起５４はカートリッジ１６のガード部分を下向きに保持すると共に、係合突起５６はひげ剃りカートリッジのキャップ部分を下向きに保持する。
【００２２】
製造の際には、容器１２はポリプロピレンから射出成形される。容器１２のために用い得るその他の材料には、ポリスチレン（特に結晶性ポリスチレン）、耐高衝撃性ポリスチレン（HIPS）、または耐中衝撃性ポリスチレン（MIPS）、ポリカーボネート、アクリロニトリルブタジエンスチレン（ABS）、ナイロンおよびスチレンアクリロニトリルコポリマー(SAN)が含まれる。ポリプロピレン以外の材料を用いる際に、当業者は（図１２に示されるとともに後述される）密封層１１８にとって適切な密封層材料を選択する。容器１２を成形した後、カートリッジ１６は、その接続構造５２がリップ２８近傍の傾斜部５０に隣接するような所望の接続位置において、刃ユニットが係合突起５４、５６を（スナップ動作で）ぱちんと通り過ぎて上側表面５３上に載置されるようにして、容器１２内に装填される。それから、カバーシート１４が、上側シール面２０および合成樹脂タブ２４の上側表面にヒートシールによって封着される。これに代えて高周波溶着、超音波溶着または感圧接着剤を用いることができる。
【００２３】
容器１２は、内部のカートリッジの目視検査を可能とするように、透明な合成樹脂で作られている。カバーシート１４は印刷可能であり、開封およびカートリッジの使用法の説明を載せることができる。カバーシート１４は（異なる縮尺で）図１２に示すラミネートからできている。このラミネートは、０.４８ミル（０.０１２mm、４８ゲージ）厚の（反転印刷される）ポリエチレンテレフタレート(PET)製の上側層１１２と、その下側の０.５０ミル（０.０１３mm、５０ゲージ、若しくは「７.５ポンド/連」と称される）厚の（好ましくは低密度の）ポリエチレン層１１４（好ましくは不透明とするために白色であるが、透明にしてもよい）と、その下の１.１５ミル（０.０２９mm、１１５ゲージ）厚の配向された高密度ポリエチレン（HDPE）層１１６と、その下の約０.１ミル（「２ポンド/連」と称される）厚のポリエステルウレタン接着剤層１１７と、その下の１.２５ミル（０.３２mm）厚の同時押出された低密度ポリエチレン−エチレンビニルアセテート(LDPE-EVA)(28%)の封着層１１８とで構成され、下側のエチレンビニルアセテート（EVA）部分が容器１２に封着される。
【００２４】
このカバーシート１４においては、高密度ポリエチレン(HDPE)層と、それより小さな限度において低密度ポリエチレン(LDPE)層とが、水分に対するバリヤ特性（防湿性）および折返し状態保持特性を与える。ポリエチレンテレフタレート(PET)は、嵩の高さと透明性および、その下側表面の印刷への保護を与える。ポリエチレンテレフタレート(PET)はまた、破れを防止するとともに１つの片としての取り外しをもたらすための構造的な一体性をラミネートに与える。ポリエチレンテレフタレート(PET)は、層間剥離することなしに２４時間の華氏１００度の温水浴条件下での促進試験に耐えるように選択される。ポリエチレン層（好ましくは低密度ポリエチレン（LDPE））は、高密度ポリエチレン（HDPE）層とポリエチレンテレフタレート（PET）層とを接合するための接着層として作用する。ポリエチレンテレフタレート（PET）は、ポリエチレンテレフタレート（PET）と高密度ポリエチレン（HDPE）との間の接着層として（華氏約６００度の）高熱が負荷される低密度ポリエチレン（LDPE）との使用のために化学的に準備されている。
【００２５】
ポリエチレン層（好ましくは低密度ポリエチレン（LDPE））は、好ましくは不透明であり、特に印刷のための背景色を与えるために白色であり、かつ密封による熱の影響を受ける領域と、シール面からほど遠い領域との間に、審美的により一様な外観をもたらすためには不透明である。ポリエステル-ウレタン層１１７は、とても薄くて１ミル未満、好ましくは約０.１ミルであるが、高密度ポリエチレン（HDPE）層１１６と低密度ポリエチレン−エチレンビニルアセテート(LDPE-EVA)密封層１１８とを接合するための接着層として作用する。層１１８の低密度ポリエチレン−エチレンビニルアセテート(LDPE-EVA)は、容器１２のポリプロピレンに対する密封を提供するために特に適している。密封層１１８内のエチレンビニルアセテート（EVA）の量を容器１２の材料に応じて変化させられることが分かる。さらに、高周波若しくは超音波溶着を用いる場合には別個の下側密封層１１８を省けることが分かる。密封層１１８は好ましくは１.２５ミルより厚くなく、さもなければその嵩が、剥離状態を保つための高密度ポリエチレン（HDPE）層の折返し状態保持能力を上回ってしまう。
【００２６】
ラミネートのための「折返し状態保持」特性は、低密度ポリエチレン（LDPE）および高密度ポリエチレン（HDPE）層、主として高密度ポリエチレン（HDPE）層によってもたらされる。この折返し状態保持特性とは、カバーシート１４が、容器１２に依然として取り付いている部分を残して剥がされ、次いでユーザの手から解放されたとき、カートリッジへの容易なアクセスを許容するために、図１３ないし図１６に示されるようにシート１４が後方に折り返されたまま若しくは後方に曲げられたままとなることである。格納された物品にユーザの手がアクセスする場合には、折返し状態保持特性とは、内側の物品にアクセスするときに手の指が実質的に妨害されないということである。
【００２７】
一般的には、図１６に示されるように、折返し状態への充分な保持は、取り外された部分と密封表面２２との間の角度が３０度、最も好ましくは（模式的に点線で描かれているように）４５度よりも大きいときに起こる。他の観点によると、図１５または図１６の実施例に示されるように、充分な折返し状態への保持とは、カバーシートの取り外された部分が容器の入口領域の少なくとも半分を露出させる位置よりも後方に残ることで、収納された物品に対する実質的に妨げられないアクセスを許容することに帰着する。好ましくは、図１５に示されるように、カバーシートの取り外された部分は側面間の半分の位置において容器を貫通する中線の後方に残る。特に、カバーシート１４は、カートリッジに接続するときにハンドルが実質的に妨げられず、かつカートリッジを実質的に妨害なしに取り除くことができる程度に、後ろ側に十分に折り返されたままとなる。
【００２８】
水蒸気に対するバリヤ特性（防湿性）は、低密度ポリエチレン（LDPE）および高密度ポリエチレン（HDPE）層、主として高密度ポリエチレン（HDPE）層によってもたらされる。水分に対するシートのバリヤ特性（防湿性）は、水蒸気通気率（MVTR）によって表すことができる。この水蒸気通気率（MVTR）は、華氏１００度（摂氏３７.８度）で相対湿度が９０%の状態下において２４時間につき１００平方インチあたり約０.１６グラム以下の水分量であることが好ましい。
【００２９】
低密度ポリエチレン（LDPE）層と共に高密度ポリエチレン（HDPE）層を使用することは、折返し状態保持特性と水分バリヤ特性との所望の組み合わせを有利に提供する。さらにカバーシートは、外側のポリエチレンテレフタレート（PET）層と高密度ポリエチレン（HDPE）層との間にサンドイッチされる低密度ポリエチレン（LDPE）層の使用によって改善され、破れに対する抵抗力および印刷の完全性のようなフィルムの完全性を保護するための追加の利点が与えられる。
【００３０】
カバー１４における、金属箔ではなく合成樹脂のシート構造は、それが電子商品監視（EAS）要件を満たすので好ましい。電子商品監視（EAS）システムにおいては、お金を支払っている客が店を出るときに警報を解除するように、製品上の（一般的にそれらの内部に金属を含んでいる）小さなタグが支払時に不活性化される。ひげ剃りカートリッジを含んでいる容器上に金属箔が用いられると、金属箔と金属刃との接近した組み合わせが電子商品監視（EAS）タグの適切な機能と対立することがある。
【００３１】
カバーシート１４は、構造の一体性を維持するとともに層間剥離せず、取り外されるときに破れず（すなわち１つの片として取り外し可能であり）、水および（例えば浴槽内に用い得る）家庭用洗剤若しくはひげ剃り用前処理製品が存在しても劣化せず、その中に格納される物品を水分および洗剤から保護し、製品取り出しの容易さのための所望の折返し状態保持特性を有し、公知の金属箔よりも高価ではなく、印刷可能であり、かつ電子商品監視（EAS）システムと干渉しない。
【００３２】
カバーシート１４は、予め定められた初期剥離力を有するように容器１２に固着される。剥離力は、角部のタブが下方を向くと共にその角部から反対側の角部への対角線が鉛直方向に位置合わせされた状態でカバーシート１４が鉛直面内にあってるように容器１２を支持することによって決定される。容器１２は取付具によってこの位置に維持されるが、下側の角部のタブは（Instronという登録商品名で入手可能な）力と距離との関係を測定する機械に接続され、かつこの機械によって上方に引き上げられる。その結果として得られる力と距離との関係を表すグラフは典型的に、密封温度が１６０℃〜２１５℃のときに約３〜５ポンド（１３.６〜２２.７Ｎ）である単一のピークを有するが、それが重要な初期剥離力である。好ましい密封温度は、約１７５℃である。
【００３３】
使用の際にユーザは、ブリッジ部分４６を折るために合成樹脂タブ２４を曲げると共に、剥離を始めるためにカバーシートの表面に沿ってタブ２４を後方に引っ張る。ユーザは、容器の２つの端部における掴み用隆起３０を掴むことができるし、その代わりに前面および後面の隆起３４、３８を掴むこともできる。次いでユーザは、（図示しない）ハンドルをカートリッジの接続構造５２に接続してカートリッジ１６を取り出す。係合突起５６は、カートリッジ１６が取り出されるときに支点として作用する。前方および後方の隆起３４、３８がユーザによって握持される場合、リップ２８は、カートリッジの取り出しの間にユーザの親指または指が刃によって切れることから保護する。
【００３４】
本発明のその他の実施例は特許請求の範囲内にある。例えば（好ましい実施例を描いている）図９は、仮設の接続構造を提供するための、容器１２のタブ２４および側面から外側に延びる輪状部分１００の使用を示している。カバーシートが容器１２およびタブ２４に封着された後に、輪状部分１００は、容器１２の側面ないしリップ２８の端部に対して平行な一回の切断によって切り取ることができる。加えて、タブ２４および容器は同一の材料ないしは異なる材料から作ることができ、かつ仮設の接続部、例えば輪状部分１００は同一の材料ないしは異なる材料から作ることができる。タブは、より良好な掴み表面を提供するためにエラストマ材料で作ることができる。ある角度を有する係合突起５４、５６に加えて、カートリッジを所望の位置に保持するためにその他の突出構造を用いることができる。カバーシート１４は、いくつかの用途において所望の折返し状態保持特性を有する金属箔から作ることができる。
【図面の簡単な説明】
【００３５】
【図１】部分的に開けられた状態で、内部のひげ剃りカートリッジと共に示す密封包装の斜視図。
【図２】図１の包装における成形された合成樹脂容器を示す斜視図。
【図３】図２中の３−３線に沿った図２の包装の断面図。
【図４】図２の合成樹脂容器の平面図。
【図５】図２の合成樹脂容器の正面図。
【図６】図２の合成樹脂容器の背面図。
【図７】図２の合成樹脂容器の底面図。
【図８】図４の容器の接続ブリッジ構造を示す、図４の８−８線に沿った部分断面図。
【図９】他のブリッジ構造を示す要部平面図。
【図１０】従来技術の密封された食品容器を示す図。
【図１１】従来技術の密封された食品容器を示す図。
【図１２】図１の包装の取り外し可能なフィルムの積層構造を示す図。
【図１３】図１の包装内に収納されたひげ剃りカートリッジに接続されるハンドルを示す図。
【図１４】図１の包装内に収納されたひげ剃りカートリッジに接続されるハンドルを示す図。
【図１５】図３の包装の開けられたカバーシートを、安定した第１の典型的な剥離状態で示す図。
【図１６】図３の包装の開けられたカバーシートを、安定した第２の典型的な剥離状態で示す図。
【図１】
2012071149.tif 000003
【図２】
2012071149.tif 000004
【図３】
2012071149.tif 000005
【図４】
2012071149.tif 000006
【図５】
2012071149.tif 000007
【図６】
2012071149.tif 000008
【図７】
2012071149.tif 000009
【図８】
2012071149.tif 000010
【図９】
2012071149.tif 000011
【図１０】
2012071149.tif 000012
【図１１】
2012071149.tif 000013
【図１２】
2012071149.tif 000014
【図１３】
2012071149.tif 000015
【図１４】
2012071149.tif 000016
【図１５】
2012071149.tif 000017
【図１６】
2012071149.tif 000018
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
収納領域を画成すると共に前記領域への入口周囲に密封表面を有し、その一部に沿って第１の端面を有すると共に、外側を向いた主面を有する合成樹脂容器と、
前記収納領域内に格納された、ユニット全体として取り外し可能なユニットと、
前記密封表面に封着されて前記入口を覆う取り外し可能なフィルムと、
前記成形された合成樹脂容器から切れ目によって離間すると共に、前記密封表面を越えて延びる前記フィルムの一部に取り付けられた、前記フィルムをユーザが掴んで前記密封表面からの剥離を開始するための合成樹脂タブと、を備え、
前記タブは、その一部に沿うととも前記第１の端面に対向する第２の端面を有しており、
前記切れ目は第１端面および第２端面の間に画成され、各対向端面に沿って延びる、ことを特徴とする密封包装体。
【請求項２】
底部壁と側面を有する側壁とによって画成された収納領域を画成し、かつ前記収納領域への入口周囲の密閉表面を有している成形された合成樹脂容器と、
前記収納領域内に格納された、ユニット全体として取り外し可能なユニットと、
前記容器の内側に形成されて前記側面から内側に延びると共に、前記容器内の所望の位置に前記ユニットを保持し、かつ前記収納領域への前記ユニットの進入を許容するために外側に移動すると共に、その後に前記カートリッジを前記領域内に保持するために内側に移動することができる保持構造と、
前記密封表面に封着されて前記入口を覆う取り外し可能なフィルムと、
を備えることを特徴とする密封包装体。
【請求項３】
前記フィルムは、ラミネートとして構成されると共に少なくとも一つの構造的な層を有するプラスチックフィルムを含んで成ることを特徴とする請求項１または２に記載した包装体。
【請求項４】
前記格納されるユニットはひげ剃りカートリッジであることを特徴とする請求項１に記載の包装体。
【請求項５】
前記密封表面を越えて延びる前記フィルムの一部に取り付けられた、前記フィルムの前記密封表面からの剥離を開始するための合成樹脂タブをさらに備えることを特徴とする請求項２に記載の包装体。
【請求項６】
前記保持構造は、前記側壁に対して傾斜しつつ前記入口を向く表面を有することを特徴とする請求項２に記載の包装体。
【請求項７】
前記保持構造は、前記側壁に対して傾斜しつつ前記底壁を向く表面を有することを特徴とする請求項２に記載の包装体。
【請求項８】
前記タブは、掴み用の隆起を有していることを特徴とする請求項２または４に記載の包装体。
【請求項９】
前記密封表面を越えて延びる前記フィルムの一部に取り付けられた、前記フィルムの前記密封表面からの剥離を開始するための合成樹脂タブをさらに備え、
前記タブは、その外側部分の周りで表面から延びる掴み用隆起を有している、
ことを特徴とする請求項２に記載の包装体。
【請求項１０】
前記容器は、前記入口に隣接すると共に当該入口から延びると共にその端部に切抜き部分を有したリップを有し、
かつ前記タブは前記切抜き部分に配置されている、
ことを特徴とする請求項４に記載の包装体。
【請求項１１】
前記タブは半月形であることを特徴とする請求項４に記載の包装体。
【請求項１２】
前記フィルムは、前記成形された合成樹脂容器の前記壁より柔軟であることを特徴とする請求項２に記載の包装体。
【請求項１３】
前記フィルムは、折返した状態を保持する折返し状態保持特性を有することを特徴とする請求項２に記載の包装体。
【請求項１４】
収納領域と、容器縁部と、前記領域への入口周囲の密封表面とを画成している成形された合成樹脂容器と、
前記密封表面に隣接すると共に、前記容器縁部に隣接するタブ端部を有する合成樹脂タブと、
前記タブを前記合成樹脂容器に接続する第１の仮設コネクタと、
を備え、
前記第１の仮設コネクタは、前記タブ縁部から外方に延びる第１の部分と、全体として前記容器縁部および前記タブ縁部に対して平行に前記第１の部分から延びる第２の部分と、前記容器縁部から前記第２の部分に対して外方に延びる第３の部分とを有し、
それによって前記第１の仮設コネクタは、前記容器縁部および前記タブ縁部に対して平行な一回の切断によって切り取られることが可能である、
ことを特徴とする包装部品。
【請求項１５】
前記タブ縁部は、前記容器縁部と整列していることを特徴とする請求項１４に記載の包装部品。
【請求項１６】
前記仮設コネクタは、前記成形された合成樹脂容器および前記タブと同時成型されることを特徴とする請求項１４または１５に記載の包装部品。
【請求項１７】
前記容器は、底部壁と、この底部壁から上方に延びて前記収納領域を画成する側壁とを有し、
前記入口において第１の前記側壁に隣接して、この側壁から延びると共に、その端部に切抜き部分を有したリップをさらに備え、
前記タブは前記切抜き部分に配置されている、ことを特徴とする請求項１３から１６のいずれかに記載の包装部品。
【請求項１８】
前記タブは、
前記リップ縁部と整列した第１のタブ縁部と、
前記第１のタブ縁部に対して横断方向に延びると共に、前記第１の側壁に隣接しかつこれを横切る向きの第２の前記側壁において容器縁部と整列する第２のタブ縁部と
を有することを特徴とする請求項１７に記載の包装部品。
【請求項１９】
前記タブを前記合成樹脂容器に接続する第２の仮設コネクタをさらに備えることを特徴とする請求項１８に記載の包装部品。
【請求項２０】
前記第２の仮設コネクタは、前記第２のタブ縁部から外方に延びる第１の部分と、全体として前記容器縁部および前記タブ縁部に対して平行に前記第１の部分から延びる第２の部分と、前記容器縁部から前記第２の部分に対して外方に延びる第３の部分とを有し、
それによって前記第１および第２の仮設コネクタはそれぞれ、前記容器縁部および前記リップ縁部に対して平行な一回の切断によって切り取られることが可能である、
ことを特徴とする請求項１９に記載の包装部品。
【請求項２１】
前記第１および第２の仮設コネクタは、前記成形された合成樹脂容器および前記タブと同時成型されることを特徴とする請求項２０に記載の包装部品。
【請求項２２】
前記仮設コネクタは、折れやすい合成樹脂材料でできていることを特徴とする請求項１４から２１のいずれかに記載の包装部品。
【請求項２３】
前記タブと前記容器との間に境界があり、かつ折れやすい合成樹脂のブリッジ部分が前記境界に沿って配置されている、ことを特徴とする請求項１４から２２のいずれかに記載の包装部品。
【請求項２４】
前記折れやすいブリッジ部分は、少なくとも前記境界の大部分に沿って延びることを特徴とする請求項２３に記載の包装部品。
【請求項２５】
前記仮設コネクタおよびタブは前記容器とは異なる材料であり、かつ前記容器、タブおよび仮設コネクタは２成分成型によって形成されることを特徴とする請求項１４から２４のいずれかに記載の包装部品。
【請求項２６】
前記密封表面に封着されて前記入口を覆う取り外し可能なフィルムをさらに備え、
前記フィルムは前記タブにも付着されることを特徴とする請求項１４から２５のいずれかに記載の包装部品。
【請求項２７】
前記フィルムは、当該フィルムを前記密封表面に封着する操作の間に、前記タブに対する同様の封着によって当該タブに固定されることを特徴とする請求項２６に記載の包装部品。
【請求項２８】
前記容器は、１又は２以上の外側表面上に、指で掴むための突出した複数の隆起を有していることを特徴とする請求項１４から２７のいずれかに記載の包装部品。
【請求項２９】
前記容器は、１又は２以上の外側表面上に、指で掴むための突出した複数の隆起を有しており、かつ前記隆起はユーザの指を収容するためにくぼんだ輪郭を有していることを特徴とする請求項１４から２８のいずれかに記載の包装部品。
【請求項３０】
前記タブは、掴み用の隆起を有していることを特徴とする請求項１４から２９のいずれかに記載の包装部品。
【請求項３１】
前記容器は、ひげ剃りカートリッジを収納するように寸法決めされると共に、前記リップを前記側壁に接続すると共に前記領域内に前記カートリッジを案内する傾斜構造を有する、ことを特徴とする請求項１７から２９のいずれかに記載の包装部品。
【請求項３２】
収納領域および前記領域への入口周囲の密封表面を画成する合成樹脂容器を準備する段階と、
ユニット全体として取り外し可能なユニットを、前記収納領域内に配置する段階と、
取り外し可能なフィルムを、前記入口を覆うように前記密封表面に封着する段階と、
前記密封表面からの前記フィルムの剥離を開始するために、前記密封表面を越えて延びている前記フィルムの一部に、前記密封表面に隣接した第１の位置に設けられる合成樹脂タブを取り付ける段階と、
前記合成樹脂タブを仮設コネクタによって前記容器に接続する段階と、
前記封着する段階および前記取り付ける段階の後の、前記仮設コネクタを分離し、前記密封表面に隣接した前記第１の位置に前記タブを残す段階と、
を備えることを特徴とする密封包装体の製造方法。
【請求項３３】
前記取り付ける段階は、前記フィルムが前記密封表面に封着される操作と同時に前記密封表面を越えて延びる前記フィルムの一部に対して前記タブを封着することを含む、
ことを特徴とする請求項３２に記載の方法。
【請求項３４】
前記仮設コネクタは合成樹脂製であり、
かつ前記準備する段階は、前記合成樹脂容器の成形と同じ操作において前記合成樹脂タブおよび仮設コネクタを成形することを含む、
ことを特徴とする請求項３２または３３に記載の方法。
【請求項３５】
前記仮設コネクタは折れやすいブリッジ部分であり、
かつ前記分離する段階は前記折れやすいブリッジ部分を折ることを含む、
ことを特徴とする請求項３４に記載の方法。
【請求項３６】
前記タブと前記容器との間に境界があり、
かつ前記折れやすいブリッジ部分は前記境界に沿って配置されている、
ことを特徴とする請求項３５に記載の方法。
【請求項３７】
前記タブと前記容器との間に境界があり、
かつ前記折れやすいブリッジ部分は少なくとも前記境界面の大部分に沿って延びる、ことを特徴とする請求項３５に記載の方法。
【請求項３８】
前記タブは、容器縁部と整列するタブ縁部を有しており、
かつ前記第１の仮設コネクタは、前記タブ縁部から外方に延びる第１の部分と、全体として前記容器縁部と平行に前記第１の部分および前記タブ縁部から延びる第２の部分と、前記容器縁部から前記第２の部分に対して外方に延びる第３の部分とを有しており、
かつ前記分離する段階は、前記容器縁部に対して平行な一回の切断によって前記仮設コネクタを前記容器および前記タブから切り取ることを含む、ことを特徴とする請求項３４に記載の方法。
【請求項３９】
前記格納されるユニットは、前記容器内に収納される単独の格納されるユニットであることを特徴とする請求項１に記載の包装体。
【請求項４０】
前記容器は下面および最上面を有し
前記主面は前記容器の下面にあり、
かつ前記切れ目は、前記容器の前記下面から、前記切れ目と部分的に境を接する前記取り外し可能なフィルムの露出部分まで延びる、
ことを特徴とする請求項１に記載の包装体。
【請求項４１】
前記格納されるユニットは、前記容器内に収納される単独の格納されるユニットであることを特徴とする請求項２に記載した包装体。
【請求項４２】
前記取り外し可能なフィルムは、合成樹脂を含んで成ることを特徴とする請求項３２に記載の方法。
【請求項４３】
前記タブおよび前記容器の対向する端面は、全長に渡って、相互に離間した関係にあることを特徴とする請求項１に記載の包装体。